(57)【特許請求の範囲】
【請求項１】
ターンテーブル及びヘッドを有するシャーシと、前記シャーシを覆う門形状を有する板金製のカバー部材と、ディスクを前記ターンテーブル上にクランプするクランパと、前記ターンテーブルを前記クランパに接近する方向に移動させるターンテーブル移動機構とを有するディスク装置本体と、
ディスクが載置されるディスク載置部を有し、前記ディスク装置本体に対して出入り可能に設けてあり、前記ディスク載置部に載せられたディスクを前記ディスク装置本体内に運び込むディスクトレイとを備えたディスク装置であって、
前記ディスクトレイは、前記ディスク装置を縦置きで使用するときに、前記ディスク載置部に垂直の姿勢で載せられた前記ディスクを倒れないように支えるディスク支え部を有する構成であり、
前記ディスク装置は、前記ディスクトレイが前記ディスク装置本体内に移動し、最終位置に移動する過程において支えられている状態のディスクをクランプ可能な状態とするディスク支え解除手段を有し、
前記ターンテーブル移動機構は、前記ディスク支え解除手段によってディスクをクランプ可能な状態とした後に、前記ターンテーブルを前記クランパに接近する方向に移動させる構成であり、
前記クランパは、前記カバー部材の天板部に直接設けてある構成としたことを特徴とするディスク装置。
【請求項２】
請求項１に記載のディスク装置において、
前記ディスク支え部は、前記ディスクトレイのうち、前記ディスクトレイの幅方向上の中心線と前記ディスクトレイの幅方向の端との間との中心より前記ディスクトレイの幅方向の端の側に偏倚した位置に設けてある構成としたことを特徴とするディスク装置。
【発明の詳細な説明】
【０００１】
【発明の属する技術分野】
本発明はディスク装置に係り、特に、コンピュータ装置に組込まれて使用されるディスクトレイ式のディスク装置に関する。
【０００２】
【従来の技術】
従来のＣＤ−ＲＯＭ装置の一例として、ＣＤ−ＲＯＭ装置本体に、ディスクトレイを備えた構成のものがある。
【０００３】
この装置においては、ローディング釦を押すことによって、ディスクトレイが移動して、ディスクトレイに載置されているＣＤ−ＲＯＭが、ＣＤ−ＲＯＭ装置本体の内部に運び込まれる。続いて、ＣＤ−ＲＯＭが、ＣＤ−ＲＯＭ装置本体内において、ターンテーブル上にクランプされて、モータによって回転され、光学ヘッドによって再生される。
【０００４】
【発明が解決しようとする課題】
従来、コンピュータ装置においては、ＣＤ−ＲＯＭ装置は、専ら、ディスクトレイが水平である横置きで組込まれていた。
【０００５】
近年、コンピュータ装置の小型化を図るために、ＣＤ−ＲＯＭ装置を、そのディスクトレイが垂直となる縦置きで組込む場合もでてきている。
【０００６】
従来のＣＤ−ＲＯＭ装置は、垂直姿勢とすると、ＣＤ−ＲＯＭがディスクトレイから滑り落ちてしまうため、縦置きで、コンピュータ装置に組込むことは出来なかった。
【０００７】
そこで、本発明は、上記課題を解決して、コンピュータ装置に、横置きで組込むことは勿論、縦置きで組込むことも可能としたディスク装置を提供することを目的とする。
【０００８】
【課題を解決するための手段】
請求項１の発明は、ターンテーブル及びヘッドを有するシャーシと、前記シャーシを覆う門形状を有する板金製のカバー部材と、ディスクを前記ターンテーブル上にクランプするクランパと、前記ターンテーブルを前記クランパに接近する方向に移動させるターンテーブル移動機構とを有するディスク装置本体と、
ディスクが載置されるディスク載置部を有し、前記ディスク装置本体に対して出入り可能に設けてあり、前記ディスク載置部に載せられたディスクを前記ディスク装置本体内に運び込むディスクトレイとを備えたディスク装置であって、
前記ディスクトレイは、前記ディスク装置を縦置きで使用するときに、前記ディスク載置部に垂直の姿勢で載せられた前記ディスクを倒れないように支えるディスク支え部を有する構成であり、
前記ディスク装置は、前記ディスクトレイが前記ディスク装置本体内に移動し、最終位置に移動する過程において支えられている状態のディスクをクランプ可能な状態とするディスク支え解除手段を有し、
前記ターンテーブル移動機構は、前記ディスク支え解除手段によってディスクをクランプ可能な状態とした後に、前記ターンテーブルを前記クランパに接近する方向に移動させる構成であり、
前記クランパは、前記カバー部材の天板部に直接設けてある構成としたものである。
【０００９】
請求項２の発明は、請求項１に記載のディスク装置において、
前記ディスク支え部は、前記ディスクトレイのうち、前記ディスクトレイの幅方向上の中心線と前記ディスクトレイの幅方向の端との間との中心より前記ディスクトレイの幅方向の端の側に偏倚した位置に設けてある構成としたものである。
【００１０】
【発明の実施の形態】
図１及び図６は本発明の一実施例になるディスク装置１０を示す。
【００１１】
図１は横置きの状態を示し、図６は縦置きの状態を示す。
【００１２】
ディスク装置１０は、ディスク装置本体１１と、ディスクトレイ１２とを有する。
【００１３】
ディスク装置本体１１は、図１に示すように、門形状を有する板金製のカバー部材１３と、フロントベゼル１４とを有する。フロントベゼル１４は、ディスクトレイ１２が出入りする入口部１５を有する。
【００１４】
ディスク装置本体１１は、図８に併せて示すように、更に、シャーシ１６，ディスク回転用モータ１７，ターンテーブル１８，光学ヘッド１９，クランパ２０，ターンテーブル１８を矢印Ａ１，Ａ２方向に移動させるターンテーブル移動機構２１，ディスクトレイ１２を矢印Ｙ１，Ｙ２方向に移動させるディスクトレイ移動機構２２等を有する。
【００１５】
ターンテーブル１８には磁石が組込まれている。クランパ２０は、カバー部材１３の天板部１３ａの下面側に設けてあり、鉄板が組込まれている。
【００１６】
次に、本発明の要部について説明する。
【００１７】
〔ディスクトレイ１２の構成〕
ディスクトレイ１２は、図１に示すように、ディスクトレイ本体３０と、ディスク支え手段としての第１のディスク支え腕組立体３１と、第２のディスク支え腕組立体３２とを有する。
【００１８】
〔ディスクトレイ本体１３の構造〕
図１に示すように、ディスクトレイ本体３０は、中央に、浅い凹状のディスク載置部３０ａを有する。
【００１９】
ディスク載置部３０ａは、載置されるディスク７０に対応する大きさを有し、周囲壁部３０ｂを有する。
【００２０】
３３は直線であり、ディスクトレイ本体３０の幅方向（Ｘ１，Ｘ２方向）上の中心線３４と、ディスクトレイ本体３０の左端３５との間の位置であって、上記中心線３４と左端３５との間の中心３６より寸法δだけ左端３５側に偏倚した位置にあって、矢印Ｙ1 方向に延在している。この直線３３はディスク載置部３０ａを横切っている。
【００２１】
ディスクトレイ本体３０のうち、上記の直線３３上であって、ディスク載置部３０ａに臨む部分に、凹部３７，３８が形成してある。
【００２２】
この凹部３７内に、第１のディスク支え腕組立体３１が組込まれており、凹部３８内に、第２のディスク支え腕組立体３２が組込まれている。
【００２３】
〔第１のディスク支え腕組立体３１の構造〕
第１のディスク支え腕組立体３１は、図２に示すように、第１の腕４０と、第２の腕４１とよりなる。
【００２４】
第１の腕４０は、上記凹部３７内に嵌合しうる大きさを有し、略Ｕ字形の断面形状を有する本体部４０ａを有する。この本体部４０ａは、本体部４０ａのＹ2 方向端側より両側に突き出している一対の軸部４０ｂと、本体部４０ａの上端から対向するように張り出したリブ部４０ｃと、本体部４０ａの底板部の上面のストッパとしての一の凸部４０ｄと二つの凹部４０ｅ，４０ｆと、底板部の下面より下方に突出しているカム部４０ｇとを有する。
【００２５】
第２の腕４１は、基部４１ａと、基部４１ａの上面側の位置からＹ1 方向に延在している板状の支え腕部４１ｂとを有する。基部４１ａは、基部４１ａの両側に沿うレール部４１ｃと、基部４１ａのうち、支え腕部４１ｂ寄りに形成してある凹部４１ｄと、基部４１ａの下面に突出している略半球状の凸部４１ｅとを有する。
【００２６】
第２の腕４１は、レール部４１ｃをリブ部４０ｃの下側に係合されて、外れない状態とされて、第１の腕４０の本体部４０ａ内に嵌合してあり、第１の腕４０に対して、矢印Ｙ１，Ｙ２方向に摺動可能である。
【００２７】
第１のディスク支え腕組立体３１は、軸部４０ｂがディスクトレイ本体３０の軸受部４２に係合し、第１の腕４０が凹部３７内に嵌合した状態で、且つ、コイルばね４３が、カム４０ｇとディスクトレイ本体３０の下面の凸部４４との間に張架された状態で、ディスクトレイ本体３０に組込まれている。
【００２８】
第１のディスク支え腕組立体３１は、コイルばね４３によって図４中、矢印Ｂ１方向に付勢されている。
【００２９】
矢印Ｂ１方向については、第１の腕４０が、ディスクトレイ本体３０の凹部３７内への突片４５によって受け止められて、第１のディスク支え腕組立体３１は、図４に示すディスクトレイ本体に対して平行な位置にある。よって、第１のディスク支え腕組立体３１は、通常は、凹部３７内に収まった状態にある。
【００３０】
このとき、カム部４０ｇは、ディスクトレイ本体３０より下方に突き出ている。
【００３１】
矢印Ｂ２方向については、第１のディスク支え腕組立体３１は、コイルばね４３のばね力に抗して、軸部４０ｂを中心に、回動して起立しうる状態にある。
【００３２】
第２の腕４１は、第１の腕４０に対して、矢印Ｙ１，Ｙ２方向に摺動可能であり、よって、第１のディスク支え腕組立体３１は、伸縮可能である。
【００３３】
第２の腕４１が矢印Ｙ２方向に摺動された状態、即ち、図４に示す状態が、縮んだ状態である。
【００３４】
第２の腕４１が矢印Ｙ１方向に摺動された状態、即ち、図７に示す状態が、伸びた状態である。
【００３５】
縮んだ状態では、図４に示すように、凸部４１ｅが凹部４０ｅに嵌合しており、第２の腕４１は、その位置にクリック的に保持される。
【００３６】
また、縮んだ状態では、支え腕部４１ｂは、第１の腕部４０内に収まっており、ディスク載置部３０ａ上には突き出していない。
【００３７】
第２の腕４１の矢印Ｙ１方向の摺動については、凹部４１ｄの矢印が凸部４０ｄに突き当たることによって、それ以上の摺動を制限される。
【００３８】
第１のディスク支え腕組立体３１が最大に伸びた状態において、図７に示すように、凸部４１ｅが凹部４０ｆに嵌合しており、第２の腕４１は、その位置に、クリック的に保持される。
【００３９】
〔第２のディスク支え腕組立体３２の構造〕
第２のディスク支え腕組立体３２は、上記の第１のディスク支え腕組立体３１と略同じ構造であり、図３に示すように、第１の腕５０と、第２の腕５１とよりなる。
【００４０】
第１の腕５０は、上記凹部３８内に嵌合しうる大きさを有し、略Ｕ字形の断面形状を有する本体部５０ａを有する。この本体部５０ａは、本体部５０ａのＹ２方向端側より両側に突き出している一対の軸部５０ｂと、本体部５０ａの上端から対向するように張り出したリブ部５０ｃと、本体部５０ａの底板部の上面のストッパとしての一の凸部５０ｄと二つの凹部５０ｅ，５０ｆと、底板部の下面より下方に突出しているカム部５０ｇと、本体部５０ａの両側の立上げ壁部の上面のうち軸部５０ｂの近傍の位置に突き出している凸部５０ｈとを有する。
【００４１】
第２の腕５１は、基部５１ａと、基部５１ａの上面側の位置からＹ１方向に延在している板状の支え腕部５１ｂとを有する。基部５１ａは、基部５１ａの両側に沿うレール部５１ｃと、基部５１ａのうち、支え腕部５１ｂ寄りに形成してある凹部５１ｄと、基部５１ａの下面に突出している略半球状の凸部５１ｅと、摺動させるときに指先を引っ掛けるために、上面に形成してある凹部５１ｆとを有する。
【００４２】
第２の腕５１は、レール部５１ｃをリブ部５０ｃの下側に係合されて、外れない状態とされて、第１の腕５０の本体部５０ａ内に嵌合してあり、第１の腕５０に対して、矢印Ｙ１，Ｙ２方向に摺動可能である。
【００４３】
第１のディスク支え腕組立体３２は、軸部５０ｂがディスクトレイ本体３０の軸受部５２に係合し、第１の腕５０が凹部３８内に嵌合した状態で、ディスクトレイ本体３０に組込まれている。
【００４４】
ディスクトレイ本体３０上には、矩形枠状の板ばね５３が、ねじ５４によってねじとめされた押さえ金具５５により押さえられて取り付けてある。この板ばね５３の枠の部分が、上記の凸部５０ｈを押している。
【００４５】
これによって、第２のディスク支え腕組立体３２は、コイルばね４３によって図４中、矢印Ｃ１方向に付勢されている。
【００４６】
矢印Ｃ１方向については、第１の腕５０が、ディスクトレイ本体３０の凹部３８内への突片５６によって受け止められて、第２のディスク支え腕組立体３２は、図４に示すディスクトレイ本体に対して平行な位置にある。よって、第２のディスク支え腕組立体３２は、通常は、凹部３８内に収まった状態にある。
【００４７】
このとき、カム部５０ｇは、ディスクトレイ本体３０より下方に突き出ている。
【００４８】
矢印Ｃ２方向については、第２のディスク支え腕組立体３２は、コイルばね５３のばね力に抗して、軸部５０ｂを中心に、回動して起立しうる状態にある。
【００４９】
第２の腕５１は、第１の腕５０に対して、矢印Ｙ１，Ｙ２方向に摺動可能であり、よって、第２のディスク支え腕組立体３２は、伸縮可能である。
【００５０】
第２の腕５１が矢印Ｙ1 方向に摺動された状態、即ち、図４に示す状態が、縮んだ状態である。
【００５１】
第２の腕５１が矢印Ｙ2 方向に摺動された状態、即ち、図７に示す状態が、伸びた状態である。
【００５２】
縮んだ状態では、図４に示すように、凸部５１ｅが凹部５０ｅに嵌合しており、第２の腕５１は、その位置にクリック的に保持される。
【００５３】
また、縮んだ状態では、支え腕部５１ｂは、第１の腕部５０内に収まっており、ディスク載置部３０ａ上には突き出していない。
【００５４】
第２の腕５１の矢印Ｙ2 方向の摺動については、凹部５１ｄの矢印が凸部５０ｄに突き当たることによって、それ以上の摺動を制限される。
【００５５】
第２のディスク支え腕組立体３２が最大に伸びた状態において、図７に示すように、凸部５１ｅが凹部５０ｆに嵌合しており、第２の腕５１は、その位置に、クリック的に保持される。
【００５６】
〔ディスク支え解除機構〕
ディスク支え解除手段としてのディスク支え解除機構６０は、図５に示すように、第１の機構６１と第２の機構６２とよりなる。
【００５７】
第１の機構６１は、第１のディスク支え腕組立体３１のカム部４０ｇと、シャーシ１６の上面に突き出しているカム部６３とよりなる。
【００５８】
第２の機構６２は、第２のディスク支え腕組立体３２のカム部５０ｇと、シャーシ１６の上面に突き出しているカム部６４とよりなる。
【００５９】
カム部４０ｇとカム部５０ｇとは、矢印Ｘ１，Ｘ２方向上に、寸法ｅ離れている。
【００６０】
カム部６３は、矢印Ｙ１方向上、カム部４０ｇに対応する部位に設けてある。カム部６４は、矢印Ｙ１方向上、カム５０ｇに対応する部位に設けてある。
【００６１】
これにより、ディスクトレイ１２が矢印Ｙ１方向に移動するとき、カム部５０ｇは、カム部６３には衝突せずに、カム部６３の横側を通過する。
【００６２】
また、カム部６３とカム部６４は、矢印Ｙ１方向の両者の距離Ｌ１が、上記カム部４０ｇとカム部５０ｇとの間の距離Ｌ２と等しいように定めてある。
【００６３】
また、カム部４０ｇ，５０ｇは、矢印Ｙ１方向端側に傾斜面４０ｇ-1，５０-1を有する。カム部６３，６４は、矢印Ｙ２方向端側に、傾斜面６３ａ，６４ｂを有する。
【００６４】
ディスクトレイ１２が矢印Ｙ１方向に移動し、最終位置の直前の位置Ｐ１から、最終位置Ｐ２まで移動する過程において（図１０（Ａ）参照）、カム部４０ｇがカム部６３に当接してカム部６３に乗り上がると共に、カム部５０ｇがカム部６４に当接してカム部６４に乗り上がる。
【００６５】
これにより、上記の第１の機構６１と第２の機構６２とが同時に動作し、第１のディスク支え腕組立体３１がコイルばね４３に抗して、矢印Ｂ２方向に回動されて所定角度立ち上げられる（起立させられる）と共に、第２のディスク支え腕組立体３２が板ばね５３に抗して、矢印Ｃ２方向に回動されて所定角度立ち上げられる（起立させられる）。
【００６６】
ここで、第１，第２のディスク支え腕組立体３１，３２が立ち上げられる角度は、図９に示すように伸びた状態の第２の腕４１，５１の先端がカバー部材１３の天板部１３ａに当たらないような角度となっている。
【００６７】
次に、上記構成のディスク装置１０の動作について説明する。
【００６８】
(1)  図１に示す横置きの状態でコンピュータ装置に組込まれた場合
第１，第２のディスク支え腕組立体３１，３２を、共に、図１及び図４に示すように、縮んだ状態にセットする。
【００６９】
第２の腕４１，５１は、共にディスク載置部３０ａ上には、突き出していず、ディスク７０は、円滑にディスクトレイ１２上に水平に載置される。
【００７０】
ディスク７０は、ディスクトレイ１２によって、ディスク装置本体１１内に運び込まれ、ターンテーブル１８上にクランプされ、ディスク回転用モータによって回転され、光学ヘッド１９によって再生される。
【００７１】
(2)  図６に示す縦置きの状態でコンピュータ装置に組み込まれた場合
指先等で、第２の腕４１を矢印Ｙ１方向に最終位置まで摺動させると共に、第２の腕５１を矢印Ｙ２方向に最終位置まで摺動させる。
【００７２】
これにより、第１，第２のディスク支え腕組立体３１，３２は、図６，図７及び図８に示すように、伸びた状態とされる。
【００７３】
図７に示すように、第１のディスク支え腕組立体３１の第２の腕４１の支え腕部４１ｂが、ディスク載置部３０ａのディスク載置面３０ａ-1に対して、寸法ｇ離れた位置（高さ）に位置して、ディスク載置部３０ａは横方向に突き出している。
【００７４】
同じく、第２のディスク支え腕組立体３２の第２の腕５１の支え腕部５１ｂが、ディスク載置部３０ａのディスク載置面３０ａ-1に対して、寸法ｇ離れた位置（高さ）に位置して、ディスク載置部３０ａは横方向に突き出している。
【００７５】
上記寸法ｇは、ディスク７０の厚さｔより、若干小さい。このため、ディスク７０がディスクトレイ１２上に載置されたときに、ディスク７０は、ディスク載置面３０ａ-1と支え腕部４１ｂ，５１ｂとにより挟持される。
【００７６】
また、第２の腕４１及び５１は、上記の摺動した位置にクリック的にロックされ、第１，第２のディスク支え腕組立体３１，３２は、伸びた状態に保たれる。
【００７７】
次に、ディスク７０を装着する動作、すなわち、ディスク７０を支える動作、ディスク７０が支障なくクランプされるようにディスク７０の支えを解除する動作等について説明する。
【００７８】
▲１▼  図６及び図８に示すように、ディスクトレイ１２が矢印Ｙ２方向に移動して、ディスク装置本体１１より突き出した状態とする。
【００７９】
▲２▼  ディスク７０を、矢印７１で示すように、縦向きの姿勢で降ろし、図６中、二点鎖線で示す状態を経て、支え腕部４１ｂ，５１ｂとディスク載置面３０ａ-1との間に差し込む。
【００８０】
これにより、ディスク７０は、第１には、周囲壁部３０ｂのうち、ディスクトレイ本体３０の左端３５（縦置きの状態では下端）の近傍の部分３０ｂ-1によって支えられて、落下することを制限され、第２には支え腕部４１ｂ，５１ｂによって、矢印７２で示すように倒れることを制限され、第３には、周囲壁部３０ｂによって、矢印Ｙ１，Ｙ２方向へずれることを制限されて、ディスク載置部３０ａに略垂直の姿勢で、セットされる。
【００８１】
▲３▼  ローディング釦を押す。
【００８２】
▲４▼  ディスクトレイ移動機構２２が動作してディスクトレイ１２が、図１０（Ａ）の線８１で示すように、矢印Ｙ１方向に移動する。
【００８３】
ディスク７０は、略垂直の姿勢を保ったまま、ディスクトレイ１２によってＹ１方向に運ばれ、入口部１５を通って、ディスク装置本体１１内に運び込まれる。
【００８４】
▲５▼  ディスク７０がディスク装置本体１１内に運び込まれた状態で、即ち、ディスクトレイ１２が最終位置の直前位置Ｐ１から最終位置Ｐ２まで移動する過程において、図１０（Ｂ）の線８２で示すように、カム部４０ｇ，５０ｇが夫々カム部６３，６４上に乗り上がり、ディスク支え解除機構６０の第１の機構６１と第２の機構６２とが同時に動作する。
【００８５】
これによって、図９に示すように、第１のディスク支え腕組立体３１がコイルばね４３に抗して矢印Ｂ２方向に回動され、第２のディスク支え腕組立体３２が板ばね５３に抗して矢印Ｃ２方向に回動される。
【００８６】
第１，第２のディスク支え腕組立体３１，３２は、先端側がカバー部材１３の天板部１３ａに当接する直前の位置まで回動し、傾斜した状態となり、ディスク支え腕部４１ｂ，５１ｂは、ディスク載置面３０ａ-1から更に離れた位置に到る。
【００８７】
これにより、ディスク７０は支えを解除され、図９中、矢印Ｚ１方向に変位することが可能な状態となる。
【００８８】
また、ディスク７０は、ディスク支え腕部４１ｂ，５１ｂによる支えを解除されるけれども、既にディスク装置本体１１内に入り込んでいるため、傾斜した場合にも、カバー部材１３等に当たった状態で止まり、それ以上は傾かず、ディスク７０がディスク載置部３０ａから外れることは起きない。
【００８９】
▲６▼  ディスク７０のディスク支え腕部４１ｂ，５１ｂによる支えが解除された後に、ターンテーブル移動機構２２が動作し、ターンテーブル１８が、図１０（Ｃ）に、線８３で示すように、矢印Ａ１方向に移動する。
【００９０】
これによって、ディスク７０は、図９に示すようにクランパ２０によって、ターンテーブル１８上にクランプされる。
【００９１】
▲７▼  続いてディスク７０がモータ１７により回転され、光学ヘッド１９により再生される。
【００９２】
▲８▼  イジェクト操作をすると、上記の各機構が上記とは逆の順序で逆方向に動作する。
【００９３】
これにより、ディスク７０は、ディスク支え腕部４１ｂ，５１ｂによって支えられて、ディスク載置部３０ａに略垂直の姿勢に支持されて、ディスク装置本体１１外に離脱される。
【００９４】
図１１は本発明の別の実施例になるディスク装置１０Ａを示す。
【００９５】
このディスク装置１０Ａは、第１，第２のディスク支え腕組立体３１，３２に加えて、ディスクトレイ本体の右端寄りの部位に、第３，第４のディスク支え腕組立体９１，９２を有する。
【００９６】
第３，第４のディスク支え腕組立体９１，９２は、前記の第１，第２のディスク支え腕組立体３１，３２と同じ構造であり、伸縮可能である。
【００９７】
ディスク装置１０Ａは、図１１に示す横置きの状態から、時計方向に９０度回動させた向きの縦置き又は、逆に反時計方向に９０度回動させた向きの縦置きのいずれでも使用可能である。
【００９８】
縦置きとした場合、下側に位置するディスク支え腕組立体を伸ばしてその状態に保持する。
【００９９】
【発明の効果】
以上説明したように、請求項１の発明によれば、クランパをカバー部材の天板部に直接設けた構成であるため、クランパを横梁部材に設けた構成に比べて、設計がし易く、薄型化出来且つ部品点数を少なく出来る。また、ディスクトレイはディスク支え部を有するため、同機種であるディスクトレイ式のディスク装置を、横置き又は縦置きのいずれの姿勢でも使用することができる。よって、横置き専用のディスク装置と縦置き専用のディスク装置を別々に製造する場合に比べて、製造管理を簡単とし得る。
【０１００】
請求項２の発明によれば、ディスク装置を縦置きの姿勢で使用した場合においてディスクのディスクトレイへのセットがし易く、ディスクのディスクトレイへのセット状態を安定に出来る。
【図面の簡単な説明】
【図１】本発明の一実施例のディスク装置を横置きで使用したときの状態を示す図である。
【図２】第１のディスク支え腕組立体の分解斜視図である。
【図３】第２のディスク支え腕組立体の分解斜視図である。
【図４】図１中、IV−IV線に沿う断面矢視図である。
【図５】ディスク支え解除機構を示す図である。
【図６】図１に示すディスク装置を縦置きで使用したときの状態を示す図である。
【図７】図６中、VII−VII線に沿う断面矢視図である。
【図８】図６中、VIII−VIII線に沿う横断面図である。
【図９】縦置きのディスク装置にディスクが装着された状態を示す図である。
【図１０】ディスク装置の動作を説明するための図である。
【図１１】本発明の別の実施例のディスク装置を示す図である。
【符号の説明】
１０  ディスク装置
１１  ディスク装置本体
１２  ディスクトレイ
１３  カバー部材
１４  フロントベゼル
１５  入口部
１６  シャーシ
１７  ディスク回転用モータ
１８  ターンテーブル
１９  光学ヘッド
２０  クランパ
２１  ターンテーブル移動機構
２２  ディスクトレイ移動機構
３０  ディスクトレイ本体
３０ａ  ディスク載置部
３０ａ-1  ディスク載置面
３０ｂ  周囲壁部
３０ｂ-1  周囲壁部のうち左端近傍の部分
３１  第１のディスク支え腕組立体
３２  第２のディスク支え腕組立体
３４，３６  中心線
３５  左端
３７，３８  凹部
４０  第１の腕
４０ａ  本体部
４０ｂ  軸部
４０ｃ  リブ部
４０ｄ  凸部
４０ｅ，４０ｆ  凹部
４０ｇ  カム部
４０ｇ-1  傾斜面
４１  第２の腕
４１ａ  基部
４１ｂ  支え腕部
４１ｃ  レール部
４１ｄ  凹部
４１ｅ  凸部
４２  軸受部
４３  コイルばね
４４  凸部
４５  突片
５０  第１の腕
５０ａ  本体部
５０ｂ  軸部
５０ｃ  リブ部
５０ｄ  凸部
５０ｅ，５０ｆ  凹部
５０ｇ  カム部
５０ｇ-1  傾斜面
５０ｈ  凸部
５１  第２の腕
５１ａ  基部
５１ｂ  支え腕部
５１ｃ  レール部
５１ｄ  凹部
５１ｅ  凸部
５１ｆ  凹部
５２  軸部
５３  矩形枠状の板ばね
５４  ねじ
５５  押え金具
６０  ディスク支え解除機構
６１  第１の機構
６２  第２の機構
６３  カム部
６４  カム部
６３ａ，６４ａ  傾斜面
７０  ディスク
７１  ディスクの載置を示す矢印
７２  ディスクが倒れる方向を示す矢印
９１  第３のディスク支え腕組立体
９２  第４のディスク支え腕組立体
【図１】
0003726819.tif 000002
【図２】
0003726819.tif 000003
【図３】
0003726819.tif 000004
【図４】
0003726819.tif 000005
【図５】
0003726819.tif 000006
【図６】
0003726819.tif 000007
【図７】
0003726819.tif 000008
【図８】
0003726819.tif 000009
【図９】
0003726819.tif 000010
【図１０】
0003726819.tif 000011
【図１１】
0003726819.tif 000012